【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
ホストデバイスに接続された記憶デバイスのパフォーマンスを評価する方法であって、前記方法は、前記ホストデバイスによって実行され、前記方法は、
前記記憶デバイス上でリード・ライトテストを実行し、
前記リード・ライトテストの結果に従って前記記憶デバイスのリード・ライト伝送ビットレートの測定を介して前記記憶デバイスのパフォーマンスプロファイルを取得し、前記記憶デバイスが、前記パフォーマンスプロファイルに対応するビデオ解像度のビデオデータの記憶及び読み出しをするためのデバイスとして使用されるのに十分なパフォーマンス能力を有することを、前記パフォーマンスプロファイルが示す、方法。
【請求項２】
前記リード・ライトテストは、前記記憶デバイス中のメモリセグメント上でのバイナリリード・ライト動作である、請求項１に記載の方法。
【請求項３】
前記メモリセグメントのコンテンツは、前記リード・ライトテストを実行する前に前記ホストデバイスに保存され、前記保存されたコンテンツは、前記リード・ライトテストを実行した後に、前記記憶デバイスにリストアされる、請求項２に記載の方法。
【請求項４】
前記パフォーマンスプロファイルを前記取得することが、サポートされる同時リード・ライト動作の最大数を取得することをさらに含む、請求項１乃至３のいずれか一項に記載の方法。
【請求項５】
前記ビデオ解像度は、標準画質ビデオ解像度、高解像度ビデオ解像度、又は超高解像度ビデオ解像度のうちの１つである、請求項１乃至４のいずれか一項に記載の方法。
【請求項６】
前記パフォーマンスプロファイルは、サポートされる同時リード・ライト動作の前記最大数から取得される、パーソナルビデオ記録タイプクラスをさらに示し、前記パーソナルビデオ記録タイプクラスは、
記録クラス又はタイムシフトクラス、
記録クラス及びタイムシフトクラス
のいずれか１つである、請求項４に記載の方法。
【請求項７】
前記パフォーマンスプロファイルは、前記ホストデバイスに保存される、請求項１乃至６のいずれか一項に記載の方法。
【請求項８】
前記パフォーマンスプロファイルは、ネットワーク記憶エリアに保存される、請求項１乃至７のいずれか一項に記載の方法。
【請求項９】
ホストデバイスに接続された記憶デバイスのパフォーマンスを評価するホストデバイスであって、前記ホストデバイスは、プロセッサとメモリを備え、前記プロセッサと前記メモリは、
前記記憶デバイス上でリード・ライトテストを実行し、
前記リード・ライトテストの結果に従って前記記憶デバイスのリード・ライト伝送ビットレートの測定を介して前記記憶デバイスのパフォーマンスプロファイルを取得し、前記記憶デバイスが、前記パフォーマンスプロファイルに対応するビデオ解像度のビデオデータの記憶及び読み出しをするためのデバイスとして使用されるのに十分なパフォーマンス能力を有することを、前記パフォーマンスプロファイルが示すように構成された、ホストデバイス。
【請求項１０】
前記プロセッサ及び前記メモリは、前記リード・ライトテストを前記記憶デバイス中のメモリセグメント上でバイナリリード・ライト動作として実行するようにさらに構成された、請求項９に記載のホストデバイス。
【請求項１１】
前記プロセッサ及び前記メモリは、前記リード・ライトテストを実行する前に前記ホストデバイス中に前記メモリセグメントのコンテンツを保存し、前記リード・ライトテストを実行した後に前記保存したコンテンツを前記記憶デバイスにリストアするようにさらに構成された、請求項１０に記載のホストデバイス。
【請求項１２】
前記プロセッサ及び前記メモリは、前記パフォーマンスプロファイルを取得するために、サポートされる同時リード・ライト動作の最大数を取得するようにさらに構成される、請求項９乃至１１のいずれか一項に記載のホストデバイス。
【請求項１３】
前記プロセッサ及び前記メモリは、前記ホストデバイス中に前記パフォーマンスプロファイルを保存するようにさらに構成された、請求項９乃至１２のいずれか一項に記載のホストデバイス。
【請求項１４】
前記プロセッサ及び前記メモリは、ネットワーク記憶エリアに前記パフォーマンスプロファイルを保存するようにさらに構成された、請求項９乃至１３のいずれか一項に記載のホストデバイス。
【手続補正２】
【補正対象書類名】明細書
【補正対象項目名】００４３
【補正方法】変更
【補正の内容】
【００４３】
コンピュータ読取可能記憶媒体は、１つ以上のコンピュータ読取可能媒体中に具体化されたコンピュータ読取可能プログラム製品の形をとることができ、コンピュータによって実行可能に具体化されたコンピュータ読取可能プログラムコードを有する。本明細書で使用されるコンピュータ読取可能記憶媒体は、情報をその中に記憶する固有の能力と、その中からの情報の読み出しを提供する固有の能力を与える非一時的記憶媒体と見なされる。コンピュータ読取可能媒体は、例えば、制限的ではなく、電子的、磁気的、光学的、電磁的、赤外線の、又は半導体のシステム、装置、又はデバイス、又はこれらの任意の適切な組み合わせであり得る。本原理を適用することができるコンピュータ読取可能記憶媒体のより特定の実例を提供したが、当業者によって直ぐに理解されるように、以下のものは、単に例となるリストであって、網羅的なリストではないことを理解されるべきである：ハードディスク、リードオンリメモリ（ＲＯＭ）、消去可能プログラマブルリードオンリメモリ（ＥＰＲＯＭ又はフラッシュメモリ）、ポータブルコンパクトディスクリードオンリーメモリ（ＣＤ−ＲＯＭ）、光記憶デバイス、磁気記憶デバイス、又はこれらの任意の適切な組み合わせ。
上記実施形態の一部又は全部は、以下の付記のようにも記載されうるが、以下には限られない。
（付記１）
ホストデバイスに接続された記憶デバイスのパフォーマンスを評価する方法であって、前記方法は、前記ホストデバイスによって実行され、前記方法は、
前記記憶デバイス上でリード・ライトテストを実行し、
前記リード・ライトテストの結果に従って前記記憶デバイスのリード・ライト伝送ビットレートの測定を介して前記記憶デバイスのパフォーマンスプロファイルを取得し、前記記憶デバイスが、前記パフォーマンスプロファイルに対応するビデオ解像度のビデオデータの記憶及び読み出しをするためのデバイスとして使用されるのに十分なパフォーマンス能力を有することを、前記パフォーマンスプロファイルが示す、方法。
（付記２）
前記リード・ライトテストは、前記記憶デバイス中のメモリセグメント上でのバイナリリード・ライト動作である、付記１に記載の方法。
（付記３）
前記メモリセグメントのコンテンツは、前記リード・ライトテストを実行する前に前記ホストデバイスに保存され、前記保存されたコンテンツは、前記リード・ライトテストを実行した後に、前記記憶デバイスにリストアされる、付記２に記載の方法。
（付記４）
前記パフォーマンスプロファイルを前記取得することが、サポートされる同時リード・ライト動作の最大数を取得することをさらに含む、付記１乃至３のいずれか一項に記載の方法。
（付記５）
前記ビデオ解像度は、標準画質ビデオ解像度、高解像度ビデオ解像度、又は超高解像度ビデオ解像度のうちの１つである、付記１乃至４のいずれか一項に記載の方法。
（付記６）
前記パフォーマンスプロファイルは、サポートされる同時リード・ライト動作の前記最大数から取得される、パーソナルビデオ記録タイプクラスをさらに示し、前記パーソナルビデオ記録タイプクラスは、
記録クラス又はタイムシフトクラス、
記録クラス及びタイムシフトクラス
のいずれか１つである、付記４に記載の方法。
（付記７）
前記パフォーマンスプロファイルは、前記ホストデバイスに保存される、付記１乃至６のいずれか一項に記載の方法。
（付記８）
前記パフォーマンスプロファイルは、ネットワーク記憶エリアに保存される、付記１乃至７のいずれか一項に記載の方法。
（付記９）
ホストデバイスに接続された記憶デバイスのパフォーマンスを評価するホストデバイスであって、前記ホストデバイスは、プロセッサとメモリを備え、前記プロセッサと前記メモリは、
前記記憶デバイス上でリード・ライトテストを実行し、
前記リード・ライトテストの結果に従って前記記憶デバイスのリード・ライト伝送ビットレートの測定を介して前記記憶デバイスのパフォーマンスプロファイルを取得し、前記記憶デバイスが、前記パフォーマンスプロファイルに対応するビデオ解像度のビデオデータの記憶及び読み出しをするためのデバイスとして使用されるのに十分なパフォーマンス能力を有することを、前記パフォーマンスプロファイルが示すように構成された、ホストデバイス。
（付記１０）
前記プロセッサ及び前記メモリは、前記リード・ライトテストを前記記憶デバイス中のメモリセグメント上でバイナリリード・ライト動作として実行するようにさらに構成された、付記９に記載のホストデバイス。
（付記１１）
前記プロセッサ及び前記メモリは、前記リード・ライトテストを実行する前に前記ホストデバイス中に前記メモリセグメントのコンテンツを保存し、前記リード・ライトテストを実行した後に前記保存したコンテンツを前記記憶デバイスにリストアするようにさらに構成された、付記１０に記載の方法。
（付記１２）
前記プロセッサ及び前記メモリは、前記パフォーマンスプロファイルを取得するために、サポートされる同時リード・ライト動作の最大数を取得するようにさらに構成される、付記９乃至１１のいずれか一項に記載のホストデバイス。
（付記１３）
前記プロセッサ及び前記メモリは、前記ホストデバイス中に前記パフォーマンスプロファイルを保存するようにさらに構成された、付記９乃至１２のいずれか一項に記載のホストデバイス。
（付記１４）
前記プロセッサ及び前記メモリは、ネットワーク記憶エリアに前記パフォーマンスプロファイルを保存するようにさらに構成された、付記９乃至１３のいずれか一項に記載のホストデバイス。